(57)【特許請求の範囲】
【請求項１】
地盤内にケーシングを挿入し、ケーシング内を中空にして地下水浄化材投入用の投入孔を形成する第１のステップ、
地下水を採取可能な観測井戸をケーシング内に建て込む第２のステップ、
中空の缶本体と、缶本体に対して開閉自在に装着された下蓋と、から構成され、缶本体に第１の吊ワイヤが取り付けられ、下蓋に第２の吊ワイヤが取り付けられている投入缶に地下水浄化材を詰め、第１の吊ワイヤと第２の吊ワイヤを重機の有する別途の吊フックにそれぞれ掛け、第２の吊ワイヤのみで投入缶を吊った状態で該投入缶を観測井戸に干渉しないようにして投入孔に吊り下し、第１の吊ワイヤにも投入缶を吊らせた状態とした後に第２の吊ワイヤによる投入缶の吊り状態を解除して下蓋を開き、地下水浄化材を投入孔に落とし込み、第１の吊ワイヤにて投入缶を投入孔の上方に吊り上げ、第１の吊ワイヤによる吊り状態を解除して第２の吊ワイヤのみで投入缶を吊った状態として投入缶に地下水浄化材を詰める第３のステップ、
第３のステップを繰り返して投入孔に地下水浄化材を充填し、ケーシングを引き抜いて地下水浄化壁を造成する第４のステップからなる、観測井戸を内蔵した地下水浄化壁の造成方法。
【請求項２】
地下水浄化材の消耗度検証用の試験体、および／または、地下水の取水管、および／または地下水の流向および流速検出用の流向流速計を、前記観測井戸を建て込む前に該観測井戸内に予め配設しておく、もしくは該観測井戸を建て込んだ後に該観測井戸内に配設する請求項１に記載の観測井戸を内蔵した地下水浄化壁の造成方法。
【請求項３】
地下水浄化材が、比重の異なる複数の材料の混合材である請求項１または２に記載の観測井戸を内蔵した地下水浄化壁の造成方法。
【請求項４】
ケーシング内にある観測井戸と干渉しないように該ケーシング内において昇降自在で、比重の異なる複数の材料の混合材からなる地下水浄化材をケーシング内に設置する投入缶であって、
前記投入缶は、上方が開放された中空の缶本体と、該缶本体に対して開閉自在に装着された下蓋を備え、
前記缶本体には吊ワイヤの取付部が設けられ、
前記下蓋には該下蓋を開閉するための別途の吊ワイヤの取付部が設けられ、
観測井戸が貫通する中空のガイド管を前記缶本体の内部の中央位置もしくは端部の偏心位置に備えている、投入缶。
【発明の詳細な説明】
【技術分野】
【０００１】
本発明は、観測井戸を内蔵した地下水浄化壁の造成方法と、この造成方法で適用され、地下水浄化材を収容してケーシング内に投入する投入缶に関するものである。
【背景技術】
【０００２】
各種化学工場跡地や薬品工場跡地、部品工場、金属精錬工場、めっき工場等の跡地などにおいては、汚染された地下水を浄化するための地下水浄化壁が施工されている。
【０００３】
この地下水浄化壁の施工方法に関する公開技術として特許文献１，２に開示の施工方法を挙げることができる。特許文献１に開示の地下浄化壁の施工法は、切削孔を穿孔し、その切削孔にモニターを挿入して地盤を切削攪拌し、さらに浄化材を混ぜた水溶液を噴射して浄化壁部分を造成し、これらの工程を順次繰り返して造成した浄化壁部分を連続させて透水性の浄化壁を造成するものである。
【０００４】
この施工法によれば、地盤中に造成されて汚染地下水を自然浄化する地下浄化壁の施工に当たり、切削や除去といった処理工数を少なくすることができるとしている。しかしながら、このように地盤を切削攪拌しながら浄化壁を造成することから、造成された浄化壁の形状寸法の信頼性は極めて低くならざるを得ない。また、浄化壁の造成に使用される浄化材には液状のものが必須となり、使用可能な浄化材に制約があるといった課題も有している。
【０００５】
そこで、浄化壁の形状寸法の信頼性を高めることのできる浄化壁の造成方法として、特許文献２に開示の技術が挙げられる。ここで開示される浄化壁の造成方法は、地盤にケーシングを挿入してその内部に地中孔を形成し、先端が漏斗状に広がる筒状部材の内部において錐体をなす複数のブレードで構成された刀錐体が取り付けられてなる開袋装置をケーシングの開口部に取り付け、鉄粉のような粉粒体が収容された袋体をフックなどから吊り下げて開口部上方から開袋装置内へ降下させ、袋体を開袋装置内側でブレードと接触させてその底面を放射状に切り開き、開袋して粉粒体を地中孔の下方へ落とし込む造成方法（ここでは、開袋装置を用いた粉粒体の地中への投入方法）が開示されている。
【０００６】
特許文献２で開示される造成方法によれば、ケーシングを使用して地中孔を形成し、この地中孔に鉄粉のような粉粒体を充填して浄化壁を造成することから、造成される浄化壁の形状寸法の信頼性を高めることはできる。
【０００７】
しかしながら、ケーシングの上端の開袋装置で袋体を開袋して鉄粉等の粉粒体を地中孔の下方へ落下させることから、浄化材が比重の異なる複数の材料の混合材から構成される場合においては、落下の過程で材料が分離してしまい、複数の材料が十分に混ざり合った状態の浄化材で浄化壁を造成することができず、この点で浄化壁の品質低下は避けられない。
【０００８】
ところで、地下水浄化壁を地盤内に施工した後は、地盤内に施工された地下水浄化壁の性能評価をおこなうことや、さらには、経時的に消耗する地下水浄化壁の消耗度を検証し、リニューアル時期の予測をおこなうといった、地下水浄化壁の管理が重要になる。しかしながら、これまでの地下水浄化壁に関する技術分野においては、主として地盤内への地下水浄化壁の造成技術が注目され、造成後の地下水浄化壁の管理方法や管理技術の開発が十分ではなかった。
【先行技術文献】
【特許文献】
【０００９】
【特許文献１】特開２００３−７４０４７号公報
【特許文献２】特開２００８−１９０１５２号公報
【発明の概要】
【発明が解決しようとする課題】
【００１０】
本発明は上記する問題に鑑みてなされたものであり、形状寸法精度の高い地下水浄化壁を造成することができ、地下水浄化壁造成用の地下水浄化材が比重の異なる複数の材料の混合材から構成される場合であっても材料分離の問題が生じ得ず、さらに、造成後の地下水浄化壁の管理も好適におこなうことのできる観測井戸を内蔵した地下水浄化壁の造成方法と、この造成方法で適用され、地下水浄化材を収容してケーシング内に投入する投入缶を提供することを目的とする。
【課題を解決するための手段】
【００１１】
前記目的を達成すべく、本発明による観測井戸を内蔵した地下水浄化壁の造成方法は、地盤内にケーシングを挿入し、ケーシング内を中空にして地下水浄化材投入用の投入孔を形成する第１のステップ、地下水を採取可能な観測井戸をケーシング内に建て込む第２のステップ、中空の缶本体と、缶本体に対して開閉自在に装着された下蓋と、から構成され、缶本体に第１の吊ワイヤが取り付けられ、下蓋に第２の吊ワイヤが取り付けられている投入缶に地下水浄化材を詰め、第１の吊ワイヤと第２の吊ワイヤを重機の有する別途の吊フックにそれぞれ掛け、第２の吊ワイヤのみで投入缶を吊った状態で該投入缶を観測井戸に干渉しないようにして投入孔に吊り下し、第１の吊ワイヤにも投入缶を吊らせた状態とした後に第２の吊ワイヤによる投入缶の吊り状態を解除して下蓋を開き、地下水浄化材を投入孔に落とし込み、第１の吊ワイヤにて投入缶を投入孔の上方に吊り上げ、第１の吊ワイヤによる吊り状態を解除して第２の吊ワイヤのみで投入缶を吊った状態として投入缶に地下水浄化材を詰める第３のステップ、第３のステップを繰り返して投入孔に地下水浄化材を充填し、ケーシングを引き抜いて地下水浄化壁を造成する第４のステップからなるものである。
【００１２】
本発明の観測井戸を内蔵した地下水浄化壁の造成方法は、ケーシングを使用して地下水浄化材投入用の投入孔を形成し、ここに地下水浄化材を投入して地下水浄化壁を造成することにより、形状寸法精度の高い地下水浄化壁の造成を可能としている。また、地下水浄化材を投入孔の上方から落下させる特許文献２に開示の方法とは異なり、投入孔の下方位置まで地下水浄化材を運んで地下水浄化材を投入することにより、地下水浄化材がたとえば比重の異なる複数の材料の混合材からなる場合でも、材料分離を起こすことなく、したがって複数の材料が十分に混合された地下水浄化材にて品質に優れた地下水浄化壁を造成することを可能としている。さらに、地盤内に挿入されたケーシング内に観測井戸を建て込み、この観測井戸の周囲に地下水浄化壁を造成したことにより、地下水浄化壁造成後の当該地下水浄化壁の性能評価や、経時的に消耗する地下水浄化壁の消耗度の検証およびこの検証結果に基づくリニューアル時期の予測などをおこなうことを可能とするものである。
【００１３】
観測井戸はたとえば多数の孔が開設された鋼管から形成することができる。孔開きの観測井戸を適用することで当該観測井戸内に地下水を採取可能となり、採取された地下水を分析することにより、地下水浄化壁の性能検証をおこなうことができる。
【００１４】
また、地下水浄化材の消耗度検証用の試験体、および／または、地下水の取水管、および／または、地下水の流向および流速検出用の流向流速計を、前記観測井戸を建て込む前に該観測井戸内に予め配設しておく、もしくは該観測井戸を建て込んだ後に該観測井戸内に配設してもよい。
【００１５】
地下水浄化材の消耗度検証用の試験体を観測井戸内に配設しておくことにより、経時的に消耗する地下水浄化壁を形成する地下水浄化材の消耗度を検証することができ、検証結果に基づいて地下水浄化壁のリニューアル時期等の予測をおこなうことが可能になる。
【００１６】
また、地下水の取水管や、地下水の流向および流速検出用の流向流速計を観測井戸内に配設しておくことにより、現地地下水の水質を検証でき、地下水の流向をリアルタイムに検出することができ、地下水浄化壁による浄化効果の確認に繋がる。
【００１７】
また、投入孔の下方位置まで地下水浄化材を運んで地下水浄化材を投入することを実現する手段として、任意素材の投入缶を使用し、投入缶に地下水浄化材を詰めて吊ワイヤを介して重機にて吊持させ、投入孔の下方の所定位置まで吊ワイヤで降下させる。なお、ケーシング内への投入缶の投入に先行して観測井戸が既に建て込まれていることから、この観測井戸と干渉しないようにして投入缶の降下が実行される。たとえば、円筒状の観測井戸をケーシングの中央位置もしくは端部の偏心位置に配設しておき、一方で、投入缶の内部には観測井戸が貫通するガイド管を配設しておくことで、観測井戸と投入缶の干渉を回避することができる。
【００１８】
ここで、投入缶の素材や形状、内空寸法は任意であり、使用するケーシングの内径に収まる寸法のものが適用できる。たとえば、形状の一例として、筒状の缶本体の下方に円盤状の下蓋が開閉自在に装着され、さらにその中央位置もしくは端部の偏心位置に観測井戸が貫通する貫通孔を備えた形態、角柱状で中空の缶本体に当該缶本体の断面に相補的形状の角形の下蓋が開閉自在に装着され、さらにその中央位置もしくは端部の偏心位置に観測井戸が貫通する貫通孔を備えた形態などを挙げることができる。また、投入缶の内空寸法は、一度に運ぶべき地下水浄化材の量や、投入缶の形成素材（鋼製、アルミ製といった金属製、FRP等を含む樹脂製、セラミックス製など）、使用重機の規模、投入孔の深さ等との関係から、一度に運ぶことのできる地下水浄化材の重量に応じて設定できる。さらに、缶本体の下方に開閉自在に装着される下蓋は、一枚の下蓋が一か所の蝶番構造を介して缶本体に装着されている形態や、下蓋を構成する二枚の分割蓋のそれぞれが中央の蝶番構造を介して缶本体に装着され、双方の分割蓋が中央の蝶番構造を介して羽根のように開閉する形態などを挙げることができる。
【００１９】
本発明の造成方法では、投入缶の缶本体と下蓋の双方に個別の吊ワイヤを取り付けておき、双方の吊ワイヤをたとえば一台の重機の親フック（親ワイヤフック）と子フック（子ワイヤフック）にそれぞれ吊らせたり、二台の重機のそれぞれの吊フックに双方の吊ワイヤを吊らせ、投入缶の位置に応じて投入缶を吊る吊ワイヤを好適に調整することにより（すなわち投入缶の荷重を負担する吊ワイヤを選定する）、投入孔への投入缶の吊り下しと、投入缶を吊った状態での下蓋の開閉、さらには投入缶を吊った状態での地下水浄化材の投入缶への提供を実現することができる。
【００２０】
具体的には、缶本体に第１の吊ワイヤを取り付け、下蓋に第２の吊ワイヤを取り付けておき、第１の吊ワイヤと第２の吊ワイヤを重機の有する別途の吊フック（ワイヤフック）にそれぞれ掛けておく。
【００２１】
投入缶の吊り下しの際には、第２の吊ワイヤのみで投入缶を吊った状態で、観測井戸と干渉しないようにして投入缶を投入孔の下方に吊り下す。
【００２２】
次に、投入孔の下方の所定位置で投入缶を停止させ、投入缶の荷重負担を第２の吊ワイヤから第１の吊ワイヤへ移行させるべく、第１の吊ワイヤでも投入缶を吊った状態とする。この状態で第２の吊ワイヤによる投入缶の吊り状態を解除することにより、下蓋が自動的に開いて地下水浄化材が投入孔に落とし込まれる。この地下水浄化材の落とし込みの位置は、投入孔のたとえば下端から1〜数m（たとえば投入缶の長さ程度）の位置に調整される。
【００２３】
下蓋の自動開放によって地下水浄化材が落とし込まれたら、第１の吊ワイヤにて投入缶を吊った状態のまま投入孔の上方に空の投入缶を吊り上げる。次に、第１の吊ワイヤによる吊り状態を解除して第２の吊ワイヤのみで投入缶を吊った状態とすることで下蓋を再度閉じ、投入缶に地下水浄化材を詰める（以上、第３のステップ）。
【００２４】
一つの投入孔に対して第３のステップを複数回繰り返すことにより、観測井戸が建て込まれている投入孔が地下水浄化材で満たされて観測井戸を内蔵した地下水浄化壁が造成される（第４のステップ）。
【００２５】
なお、ここで造成される地下水浄化壁は、ケーシングの長さおよび径によって形状および寸法が規定される地下水浄化杭である。
【００２６】
そこで、地盤内に平面状の地下水浄化壁を造成する場合は、観測井戸を内蔵した地下水浄化壁の側方に、観測井戸をケーシング内に建て込まない方法で地下水浄化壁を造成していく。すなわち、上記する造成方法の第２のステップを不要とし、観測井戸が建て込まれていないケーシング内に上記する造成方法の第３のステップを繰り返して地下水浄化壁用の地下水浄化杭を造成し、地下水浄化杭を順次並設して地盤内に面的に広がる地下水浄化壁を造成する方法が適用できる。このように、地盤内に面的に広がる地下水浄化壁を造成する場合、観測井戸を内蔵した地下水浄化杭を造成し、その左右に観測井戸を内蔵していない地下水浄化杭を併設して地下水浄化壁を造成することができる。また、面的に広がる地下水浄化壁の平面寸法が広範囲に及ぶ場合には、所定の間隔で観測井戸を内蔵した複数の地下水浄化杭が配設された地下水浄化壁としてもよい。
【００２７】
また、第１のステップにおいては、投入缶の開口にホッパーを載置し、ホッパーを介して投入缶に地下水浄化材を詰めてもよい。さらに、第３のステップにおける再度の地下水浄化材の投入缶への提供作業においても、吊られた状態の投入缶にホッパーを載置し、ホッパーを介して投入缶に地下水浄化材を詰めることもできる。
【００２８】
なお、本発明の造成方法で使用される地下水浄化材が、既述するように比重の異なる複数の材料の混合材からなる場合は、材料分離することなく投入孔に落とし込めることから、本発明の造成方法にとって好適な材料と言える。ここで、混合材の構成素材としては、活性炭や鉄粉、地下水の流動を確保するための砕石などを挙げることができる。勿論、活性炭や鉄粉のみの単一素材の地下水浄化材を使用して地下水浄化壁を造成してもよいことは勿論のことである。
【００２９】
また、本発明は前記造成方法で適用される投入缶にも及ぶものであり、この投入缶は、ケーシング内にある観測井戸と干渉しないように該ケーシング内において昇降自在で、比重の異なる複数の材料の混合材からなる地下水浄化材をケーシング内に設置する投入缶であって、前記投入缶は、上方が開放された中空の缶本体と、該缶本体に対して開閉自在に装着された下蓋を備え、前記缶本体には吊ワイヤの取付部が設けられ、前記下蓋には該下蓋を開閉するための別途の吊ワイヤの取付部が設けられ、観測井戸が貫通する中空のガイド管を前記缶本体の内部の中央位置もしくは端部の偏心位置に備えているものである。
【００３０】
本発明の投入缶を適用して前記造成方法を実施することにより、ケーシング内に先行して配設されている観測井戸と干渉することなく、投入孔の下方位置まで比重の異なる複数の材料の混合材からなる地下水浄化材を運んで地下水浄化材を投入することが可能となり、材料分離を起こすことなく、したがって複数の材料が十分に混合された地下水浄化材にて品質に優れた地下水浄化壁を造成することが可能になる。
【発明の効果】
【００３１】
以上の説明から理解できるように、本発明の観測井戸を内蔵した地下水浄化壁の造成方法によれば、ケーシングを使用して地下水浄化材投入用の投入孔を形成し、ここに地下水浄化材を投入して地下水浄化壁を造成することにより、形状寸法精度の高い地下水浄化壁を造成することができる。また、投入孔の下方位置まで地下水浄化材を運んで地下水浄化材を投入することにより、地下水浄化材がたとえば比重の異なる複数の材料の混合材からなる場合であっても、材料分離を起こすことなく、したがって複数の材料が十分に混合された地下水浄化材にて品質に優れた地下水浄化壁を造成することができる。さらに、地盤内に挿入されたケーシング内に観測井戸を建て込み、この観測井戸の周囲に地下水浄化壁を造成したことにより、地下水浄化壁造成後の当該地下水浄化壁の性能評価や、経時的に消耗する地下水浄化壁の消耗度の検証およびこの検証結果に基づくリニューアル時期の予測などをおこなうことができる。
【図面の簡単な説明】
【００３２】
【図１】本発明の地下水浄化壁の造成方法で適用する本発明の投入缶の実施の形態１を斜め下方から見た斜視図である。
【図２】投入缶の実施の形態１の下蓋が開いた状態を示した斜視図である。
【図３】本発明の投入缶の実施の形態２を斜め下方から見た斜視図である。
【図４】投入缶の実施の形態１に地下水浄化材を詰めている状況を説明した図である。
【図５】本発明の観測井戸を内蔵した地下水浄化壁の造成方法の第１のステップと第２のステップを説明した模式図である。
【図６】図５のVI部の拡大図である。
【図７】本発明の造成方法の第３のステップを説明した模式図である。
【図８】図７に続いて第３のステップを説明した模式図である。
【図９】図８に続いて第３のステップを説明した模式図である。
【図１０】図９に続いて第３のステップを説明した模式図である。
【図１１】本発明の造成方法の第４のステップを説明した模式図であって、造成される観測井戸を内蔵した地下水浄化壁（地下水浄化杭）を説明した模式図である。
【図１２】観測井戸を内蔵した地下水浄化杭と観測井戸を内蔵していない地下水浄化杭が並設されてなる地下水浄化壁を説明した模式図である。
【発明を実施するための形態】
【００３３】
以下、図面を参照して本発明の観測井戸を内蔵した地下水浄化壁の造成方法の実施の形態とこの造成方法で適用する投入缶の実施の形態１，２を説明する。なお、投入缶の形状および構造は図示例のものに限定されるものではなく、角柱状の缶本体に対し、たとえば一枚の下蓋が開閉自在に装着された構成の投入缶等であってもよい。
【００３４】
（投入缶の実施の形態１）
図１は本発明の地下水浄化壁の造成方法で適用する本発明の投入缶の実施の形態１を斜め下方から見た斜視図であり、図２は投入缶の実施の形態１の下蓋が開いた状態を示した斜視図である。図１で示すように、実施の形態１にかかる投入缶１０は、鋼製で筒状の缶本体１と、缶本体１の下端に開閉自在に装着された下蓋２と、から大略構成されている。
【００３５】
下蓋２は缶本体１の下端に対して蝶番部２ｃを介して装着されており、図１で示す閉じた状態から、図２で示す下方へ開いた状態（Ｙ１方向）へ、さらに図１の閉じた状態へ（Ｙ１方向）と状態変化が可能となっている。
【００３６】
缶本体１の内部は中空１ａとなっており、この中空１ａの中央位置には、後述する観測井戸が挿通される中央ガイド管１ｄが固定部１ｅを介して缶本体１の内壁に固定されている。この中央ガイド管１ｄは下蓋２まで延びており、したがって、下蓋２の開閉の際に中央ガイド管１ｄが干渉しないように、下蓋２には横長で中央ガイド管１ｄまで延びている開口２ａが開設されている。一方、缶本体１の下端には、この開口２ａと相補的形状の開口閉塞片１ｆが缶本体１の内壁に固定されており、図１で示す下蓋２が閉じた状態において、下蓋２の開口２ａに開口閉塞片１ｆが嵌り込み、ここに隙間が生じないようになっている。そのため、缶本体１の中空１ａと中央ガイド管１ｄの間の空間に後述する地下水浄化材が充填された際に、地下水浄化材が下蓋２を介して下方に落下するのが防止され、地下水浄化材の落下はあくまでも下蓋２を開いた際にのみ実行される。
【００３７】
また、中空１ａに臨む内面には第２の吊ワイヤ３を案内する案内ピン１ｂが取り付けられ、缶本体１の外面には第１の吊ワイヤ４を引掛ける吊ピン１ｃが取り付けられている。
【００３８】
下蓋２の内側面には、第２の吊ワイヤ３を引掛ける吊ピン２ｂ（図示例では２箇所）が取り付けられている。この２箇所の吊ピン２ｂに第２の吊ワイヤ３をそれぞれ引掛け、第２の吊ワイヤ３を案内ピン１ｂに通した後、投入缶１０の上方でそれらを１箇所に纏め、これを不図示の重機の具備する親吊ワイヤフック５に引掛ける。一方、缶本体１の外面の２つの吊ピン１ｃにそれぞれ第１の吊ワイヤ４を引掛け、同様に投入缶１０の上方でそれらを１箇所に纏め、これを不図示の重機の具備する子吊ワイヤフック６に引掛ける。
【００３９】
親吊ワイヤフック５にて第２の吊ワイヤ３を吊る操作と、子吊ワイヤフック６にて第１の吊ワイヤ４を吊る操作を適宜調整することにより、下蓋２を閉じた状態で投入缶１０をケーシング内の投入孔の下方へ吊り下げたり、投入孔の下方で下蓋２を開いたり、下蓋２を閉じた状態で投入缶１０に対して投入孔の上方で地下水浄化材を投入するといった施工を実施できる。なお、一台の重機の具備する親吊ワイヤフック５と子吊ワイヤフック６を使用する形態のほかにも、二台の重機を使用して各重機の吊ワイヤフックに第１、第２の吊ワイヤ３，４を吊らせる形態であってもよい。
【００４０】
投入缶１０の実施例としては、缶本体１の高さが2m程度、下蓋２の直径が0.7m程度で下蓋２が一方向（Ｙ１方向）に開閉する形態を挙げることができる。
【００４１】
（投入缶の実施の形態２）
図３は投入缶の他の実施の形態２を斜め下方から見た斜視図である。図示する投入缶１０Ａは、図１，２で示す投入缶１０と異なり、観測井戸が挿通する位置を缶本体１Ａの内側端部、すなわち偏心位置としたものであり、図示例のように、缶本体１Ａの内側の偏心位置に偏心ガイド管１ｇを設けておき、これが下蓋２Ａまで延びているものである。
【００４２】
このように偏心ガイド管１ｇが下蓋２Ａの端部に位置することから、下蓋２Ａは中央に蝶番部２ｃを具備し、この蝶番部２ｃの左右にある分割蓋２Ａａ，２Ａｂが開閉するように構成されている（Ｙ２方向）。なお、このような投入缶１０Ａは、「バタフライ缶」と称することもできる。そして、その他の構成は投入缶１０と原則的には同じである。
【００４３】
図１，２で示す投入缶１０、図３で示す投入缶１０Ａともに、中空１ａを貫通する観測井戸と干渉しないような構成であって、かつ、下蓋２，２Ａも観測井戸と干渉せずに開閉自在であり、さらには、下蓋２，２Ａが缶本体１，１Ａに対して閉じた状態において、缶本体１，１Ａの中空１ａ内に充填された地下水浄化材が下方に落下しないように構成されている。
【００４４】
次に、図１，２で示す投入缶１０を使用して、ここに地下水浄化材を詰め、観測井戸を内蔵した地下水浄化杭を地盤内に造成したり、観測井戸を内蔵した地下水浄化杭に加えて、観測井戸を内蔵しない地下水浄化杭を併設して複数の地下水浄化杭から構成される地下水浄化壁を造成する方法を説明する。
【００４５】
（観測井戸を内蔵した地下水浄化壁（地下水浄化杭）の造成方法）
図４，５、図７〜１１はその順に、観測井戸を内蔵した地下水浄化壁の造成方法のフロー図である。具体的には、図４は投入缶の実施の形態１に地下水浄化材を詰めている状況を説明した図であり、図５は本発明の観測井戸を内蔵した地下水浄化壁の造成方法の第１のステップと第２のステップを説明した模式図であり、図７〜１０はその順に造成方法の第３のステップを説明した模式図である。さらに、図１１は本発明の造成方法の第４のステップを説明した模式図であって、造成される観測井戸を内蔵した地下水浄化壁（地下水浄化杭）を説明した模式図である。
【００４６】
まず、図４で示すように、地上に投入缶１０を置き、投入缶１０の上にホッパー７を載せる。
【００４７】
使用する地下水浄化材Ｍは、活性炭や鉄粉、地下水の流動を確保するための砕石が混ざり合った混合材から構成されており、この地下水浄化材Ｍが袋詰めされた状態で現場に搬送されてくる。このように、使用する地下水浄化材Ｍを構成する複数の材料は比重が相互に異なる材料である。
【００４８】
この地下水浄化材Ｍがトンパック詰めされた袋Ｂを不図示の重機で吊り、ホッパー７内へ落とし込むことにより、中央にある先鋭な錐体で袋Ｂが破られ、中の地下水浄化材Ｍを投入缶１０に詰めることができる。
【００４９】
この際、中央ガイド管１ｄの上部開口にガイド管蓋１ｄ’を取り付けておき、中央ガイド管１ｄに地下水浄化材Ｍが投入されないようにすることで、地下水浄化材Ｍは缶本体１の中空１ａと中央ガイド管１ｄの間の空間に充填されることになる。
【００５０】
次に、図５で示すように、不図示の全旋回掘削機等を使用して、地盤Ｇに対して所定の深度まで掘削しながらケーシング２０を設置することにより、ケーシング２０の設置と同時にケーシング２０内に投入孔２０ａが形成される（以上、造成方法の第１のステップ）。
【００５１】
地盤Ｇ内にケーシング２０が設置され、投入孔２０ａが形成されたら、投入孔２０ａ内に観測井戸３０を不図示の重機で吊り下しながら建て込む（以上、造成方法の第２のステップ）。なお、図示例は、観測井戸３０を投入孔２０ａの中央位置に建て込んでいる形態を示しているが、投入孔２０ａの端部の偏心位置に建て込んでもよく、観測井戸３０の建て込み態様に応じて好適な投入缶１０，１０Ａが適用される。
【００５２】
観測井戸３０は多数の取水孔３０ａを備えた鋼管から形成されており、その内部に、たとえばPVC素材で全長に取水スリットが形成されたストレーナー管４０が配設され、チェーン５２に取り付けられた試験体６０や取水管７０がストレーナー管４０に収容され、チェーン５２はその上端の留め具５１を観測井戸３０の上端に架け渡して落下防止が講じられている。
【００５３】
試験体６０はPVC素材で取水スリットが形成された収容管６１に収容されており、ケーシング２０内に収容される地下水浄化材Ｍと同じ素材から形成されている。
【００５４】
また、取水管７０も取水スリットを有しており、地下水を内部に収容して溜めることができる。
【００５５】
また、図示を省略するが、地下水の流向や流速を計測する流向流速計をチェーン５２に取り付けてもよい。
【００５６】
地下水浄化壁の供用から定期的にチェーン５２を引き上げて試験体６０の消耗度を検証することで、実際の地下水浄化壁の消耗度を特定することができ、メンテナンス時期の特定に繋がる。
【００５７】
また、定期的に取水管７０を引き上げて地下水の水質を検証したり、流向流速計にて現地地下水の流向をリアルタイムに検出することにより、地下水浄化壁による浄化効果を確認することができる。
【００５８】
地盤Ｇ内にケーシング２０が設置され、ケーシング２０の投入孔２０ａの中央位置に観測井戸３０が建て込まれたら、投入孔２０ａと観測井戸３０の間の空間に地下水浄化材Ｍを投入する第３のステップに移行する。
【００５９】
まず、図７で示すように、下蓋２に繋がっている第２の吊ワイヤ３を吊っている親吊ワイヤフック５のみで地下水浄化材Ｍが詰められた投入缶１０を吊り（親吊ワイヤフック５には投入缶１０と地下水浄化材Ｍの総荷重Ｐによる張力が作用している）、中央ガイド管１ｄに観測井戸３０を貫通させて、投入缶１０を投入孔２０ａの下方の所定深度まで吊り下げる（Ｘ１方向）。ここで、この「所定深度」とは、相互に比重の異なる複数の材料の混合材からなる地下水浄化材Ｍを落とし込んだ際に材料分離が生じない深度のことを意味しており、たとえば投入孔２０ａの下端から投入缶１０の高さ程度上方の位置を所定深度とすることができる。
【００６０】
このように下蓋２を吊っている第２の吊ワイヤ３をさらに吊っている親吊ワイヤフック５のみで投入缶１０の荷重を支持していることから、投入缶１０を投入孔２０ａの所定深度まで吊り下げる過程で下蓋２の閉じ姿勢が保持される。
【００６１】
次に、図８で示すように、投入缶１０を親吊ワイヤフック５のみならず子吊ワイヤフック６でも吊った状態とし（たとえば双方のワイヤフック５，６で投入缶１０の荷重を二分する）、親吊ワイヤフック５の吊り状態を解除することにより、投入缶１０は子吊ワイヤフック６にて吊り状態が保持されながら（投入缶１０のみの荷重Ｐ’による張力が作用している）、下蓋２は下方へ開き（Ｙ１方向）、投入缶１０内の地下水浄化材Ｍを投入孔２０ａの下方へ落とし込むことができる（Ｘ２方向）。
【００６２】
投入缶１０から地下水浄化材Ｍを落とし込んだら、次に、図９で示すように、空の投入缶１０をケーシング２０の上方付近まで吊り上げて位置決めし、第１の吊ワイヤ４による吊り状態を解除して第２の吊ワイヤ３のみで投入缶１０を吊った状態とし、下蓋２を再度閉じた状態として地下水浄化材Ｍを投入缶１０に詰める（親吊ワイヤフック５には投入缶１０と地下水浄化材Ｍの総荷重Ｐによる張力が作用している）。なお、空の投入缶１０に地下水浄化材Ｍを投入する際には、図４で示すホッパー７を吊られた状態の投入缶１０に載置し、ホッパー７を介して地下水浄化材Ｍを投入後、ホッパー７を投入缶１０から取り外して投入缶１０の吊り下しをおこなってもよい。
【００６３】
以上、図７〜図９までの施工を繰り返すことにより、図１０で示すように観測井戸３０の周囲であって投入孔２０ａの上方まで地下水浄化材Ｍが充填される。
【００６４】
中央に観測井戸３０を備えた投入孔２０ａが地下水浄化材Ｍで完全に閉塞された後、ケーシング２０を引き抜くことにより、図１１で示すような観測井戸を内蔵した地下水浄化杭１００が地盤Ｇ内に造成される。
【００６５】
図１１で示す一つの地下水浄化杭１００のみから構成される地下水浄化壁であってもよいが、図１２で示すように、地盤Ｇ内において、観測井戸を内蔵した地下水浄化杭１００の左右に観測井戸を内蔵しない地下水浄化杭１００Ａを並設施工することにより、地盤Ｇ内に面的に広がる地下水浄化壁２００を造成することもできる。
【００６６】
図示する地下水浄化壁１００、１００Ａ，２００の造成方法によれば、ケーシング２０を使用して地下水浄化材Ｍ投入用の投入孔２０ａを形成し、ここに地下水浄化材Ｍを投入して地下水浄化壁１００，１００Ａ，２００を造成することにより、形状寸法精度の高い地下水浄化壁１００，１００Ａ，２００の造成が可能になる。
【００６７】
また、地下水浄化材Ｍを投入孔２０ａの上方から落下させる方法ではなく、投入孔２０ａの下方位置まで地下水浄化材Ｍを運んだ後に投入することから、地下水浄化材Ｍが比重の異なる複数の材料の混合材からなる場合であっても、材料分離を起こすことなく、したがって複数の材料が十分に混合された地下水浄化材Ｍにて品質に優れた地下水浄化壁１００，１００Ａ，２００を造成することが可能になる。
【００６８】
さらに、地下水浄化壁１００はその内部に観測井戸３０を備えていることから、地下水浄化壁１００，１００Ａ、２００を造成後の当該地下水浄化壁１００，１００Ａ，２００の性能評価や、経時的に消耗する地下水浄化壁１００，１００Ａ，２００の消耗度の検証およびこの検証結果に基づくリニューアル時期の予測などをおこなうことが可能になる。
【００６９】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７０】
１，１Ａ…缶本体、１ａ…中空、１ｂ…案内ピン、１ｃ…吊ピン、１ｄ…中央ガイド管、１ｄ’…ガイド管蓋、１ｅ…固定部、１ｆ…開口閉塞片、１ｇ…偏心ガイド管、２，２Ａ…下蓋、２Ａａ，２Ａｂ…分割蓋、２ａ…開口、２ｂ…吊ピン、２ｃ…蝶番部、３…第２の吊ワイヤ、４…第１の吊ワイヤ、５…親吊ワイヤフック、６…子吊ワイヤフック、７…ホッパー，７ａ…開袋部、１０，１０Ａ…投入缶、２０…ケーシング、２０ａ…投入孔、３０…観測井戸、３０ａ…取水孔、４０…ストレーナー管、５１…留め具、５２…チェーン、６０…試験体、６１…収容管、７０…取水管、１００…観測井戸を内蔵した地下水浄化杭（地下水浄化壁）、１００Ａ…観測井戸を内蔵しない地下水浄化杭（地下水浄化壁）、２００…地下水浄化壁、Ｍ…地下水浄化材
【図１】
0006383273.tif 000002
【図２】
0006383273.tif 000003
【図３】
0006383273.tif 000004
【図４】
0006383273.tif 000005
【図５】
0006383273.tif 000006
【図６】
0006383273.tif 000007
【図７】
0006383273.tif 000008
【図８】
0006383273.tif 000009
【図９】
0006383273.tif 000010
【図１０】
0006383273.tif 000011
【図１１】
0006383273.tif 000012
【図１２】
0006383273.tif 000013